【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
所定の発射手段によって発射された遊技球が流下可能な遊技領域が設けられた遊技盤を備え、
該遊技領域が、前記発射手段で発射された遊技球の発射威力が所定力未満であると流下する可能性が高い第１遊技領域部と、前記所定力以上であると流下する可能性が高い第２遊技領域部とを具備する遊技機であって、
前記第１遊技領域部及び前記第２遊技領域部の一方に設けられた第１始動口と、
前記第１遊技領域部及び前記第２遊技領域部の他方に設けられた第２始動口と、
前記遊技領域に設けられた大入賞口と、
前記第１始動口若しくは前記第２始動口に遊技球が入球することに基づき、当否判定を行う当否判定手段と、
前記第１始動口に遊技球が入球することに起因し、特別図柄の一態様を構成する第１特別図柄の変動表示を実行した後、該第１始動口への入球に起因して実行される当否判定の結果を示す停止図柄を、確定表示させる第１特別図柄表示手段と、
前記第２始動口に遊技球が入球することに起因し、特別図柄の他態様を構成する第２特別図柄の変動表示を実行した後、該第２始動口への入球に起因して実行される当否判定の結果を示す停止図柄を、確定表示させる第２特別図柄表示手段と、
前記第１特別図柄表示手段及び前記第２特別図柄表示手段に示す特別図柄の変動表示の実行時間を決定する変動時間決定手段と、
前記特別図柄の停止図柄として大当り図柄が確定表示されると、所定の大当り開放態様で前記大入賞口を開放する大当り遊技を発生させる大当り遊技手段と、
前記特別図柄の停止図柄として前記当否判定の結果が小当りであることを示す小当り図柄が確定表示されると、所定の小当り開放態様で前記大入賞口を開放する小当り遊技を発生させる小当り遊技手段と、
前記大当り遊技の終了後の遊技状態を、前記当否判定によって大当りと判定される確率が通常の遊技状態よりも高い高確率遊技状態に設定する高確率遊技状態設定手段と、
前記変動時間決定手段によって決定される前記特別図柄の変動表示の実行時間に応じて演出表示を実行する演出表示手段と、
を備え、
前記第２始動口への入球に起因して実行される当否判定において、小当りと判定される確率は大当りと判定される確率よりも高くされ、
前記第２特別図柄の変動表示の平均的な実行時間は、前記通常の遊技状態であれば長く、前記高確率遊技状態であれば短くなるとともに、
前記遊技状態が前記高確率遊技状態に設定された場合において、前記当否判定で小当りと判定される回数又は前記特別図柄の変動表示の回数を計数する計数手段を備え、
前記計数手段が計数した計数値が所定値に達している場合において、前記大当り遊技の実行中に、前記演出表示手段にて特別演出を実行し、
該特別演出は前記第１特別図柄による大当り遊技の実行中には実行されない
ことを特徴とする遊技機。
【請求項２】
所定の一の大当り遊技を終了し、前記遊技状態が前記高確率遊技状態に設定された場合において前記計数手段で実行された前記当否判定で小当りと判定される回数又は前記特別図柄の変動表示の回数の計数を、
該一の大当り遊技に後続する他の大当り遊技後に前記遊技状態が前記高確率遊技状態に設定された場合において、継続可能としたことを特徴とする請求項１に記載の遊技機。
【請求項３】
前記特別演出として、異なる演出パターンに基づいて実行される複数の特別演出を設け、
前記当否判定において大当りと判定される確率を設定する確率設定手段を備えるとともに、
該確率設定手段によって設定される設定値により、実行される特別演出の演出パターンが異なるか、演出パターンの選択率が異なることを特徴とする請求項１又は２の何れか一項に記載の遊技機。
【手続補正２】
【補正対象書類名】明細書
【補正対象項目名】０００８
【補正方法】変更
【補正の内容】
【０００８】
請求項１に記載の遊技機は、
所定の発射手段によって発射された遊技球が流下可能な遊技領域が設けられた遊技盤を備え、
該遊技領域が、前記発射手段で発射された遊技球の発射威力が所定力未満であると流下する可能性が高い第１遊技領域部と、前記所定力以上であると流下する可能性が高い第２遊技領域部とを具備する遊技機であって、
前記第１遊技領域部及び前記第２遊技領域部の一方に設けられた第１始動口と、
前記第１遊技領域部及び前記第２遊技領域部の他方に設けられた第２始動口と、
前記遊技領域に設けられた大入賞口と、
前記第１始動口若しくは前記第２始動口に遊技球が入球することに基づき、当否判定を行う当否判定手段と、
前記第１始動口に遊技球が入球することに起因し、特別図柄の一態様を構成する第１特別図柄の変動表示を実行した後、該第１始動口への入球に起因して実行される当否判定の結果を示す停止図柄を、確定表示させる第１特別図柄表示手段と、
前記第２始動口に遊技球が入球することに起因し、特別図柄の他態様を構成する第２特別図柄の変動表示を実行した後、該第２始動口への入球に起因して実行される当否判定の結果を示す停止図柄を、確定表示させる第２特別図柄表示手段と、
前記第１特別図柄表示手段及び前記第２特別図柄表示手段に示す特別図柄の変動表示の実行時間を決定する変動時間決定手段と、
前記特別図柄の停止図柄として大当り図柄が確定表示されると、所定の大当り開放態様で前記大入賞口を開放する大当り遊技を発生させる大当り遊技手段と、
前記特別図柄の停止図柄として前記当否判定の結果が小当りであることを示す小当り図柄が確定表示されると、所定の小当り開放態様で前記大入賞口を開放する小当り遊技を発生させる小当り遊技手段と、
前記大当り遊技の終了後の遊技状態を、前記当否判定によって大当りと判定される確率が通常の遊技状態よりも高い高確率遊技状態に設定する高確率遊技状態設定手段と、
前記変動時間決定手段によって決定される前記特別図柄の変動表示の実行時間に応じて演出表示を実行する演出表示手段と、
を備え、
前記第２始動口への入球に起因して実行される当否判定において、小当りと判定される確率は大当りと判定される確率よりも高くされ、
前記第２特別図柄の変動表示の平均的な実行時間は、前記通常の遊技状態であれば長く、前記高確率遊技状態であれば短くなるとともに、
前記遊技状態が前記高確率遊技状態に設定された場合において、前記当否判定で小当りと判定される回数又は前記特別図柄の変動表示の回数を計数する計数手段を備え、
前記計数手段が計数した計数値が所定値に達している場合において、前記大当り遊技の実行中に、前記演出表示手段にて特別演出を実行し、
該特別演出は前記第１特別図柄による大当り遊技の実行中には実行されない
ことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
請求項２に記載の遊技機は、
請求項１に記載の遊技機において、
所定の一の大当り遊技を終了し、前記遊技状態が前記高確率遊技状態に設定された場合において前記計数手段で実行された前記当否判定で小当りと判定される回数又は前記特別図柄の変動表示の回数の計数を、
該一の大当り遊技に後続する他の大当り遊技後に前記遊技状態が前記高確率遊技状態に設定された場合において、継続可能としたことを特徴とする。
【手続補正１２】
【補正対象書類名】明細書
【補正対象項目名】００２０
【補正方法】変更
【補正の内容】
【００２０】
請求項２に記載の発明では、計数手段による計数を、高確率遊技状態に設定することになる大当りの発生を跨いで継続することとしている。
つまり、大当り遊技後に高確率遊技状態に設定することになる大当りの発生を跨いで、計数手段による計数を行うため、高確率遊技状態が連続的に生じた回数（所謂、「連チャン回数」）だけでなく、大当りを獲得できず実行した変動表示の回数（所謂「嵌り回数」）も計数されることになる。
【手続補正１３】
【補正対象書類名】明細書
【補正対象項目名】００２１
【補正方法】変更
【補正の内容】
【００２１】
つまり、請求項２の遊技機では、高確率遊技状態が連続的に生じた回数だけではなく、どれだけ嵌ったかも重要となり、同じ大当り回数でも所定値に達する場合と達しない場合が発生し、所定値に達する状況（大当り回数）がそのときにより異なるので趣向性が高まる。
【手続補正１４】
【補正対象書類名】明細書
【補正対象項目名】００２２
【補正方法】変更
【補正の内容】
【００２２】
請求項３に記載の遊技機は、
請求項１又は２の何れか一項に記載の遊技機において、
前記特別演出として、異なる演出パターンに基づいて実行される複数の特別演出を設け、
前記当否判定において大当りと判定される確率を設定する確率設定手段を備えるとともに、
該確率設定手段によって設定される設定値により、実行される特別演出の演出パターンが異なるか、演出パターンの選択率が異なることを特徴とする。
【手続補正１５】
【補正対象書類名】明細書
【補正対象項目名】００２３
【補正方法】変更
【補正の内容】
【００２３】
請求項３に記載の遊技機によると、当否判定で大当りと判定される確率（つまり、大当り確率）に設定値を設け、設定された設定値に応じて当否判定を実行する。そして、特別演出は設定値により、演出パターンが異なる又は演出パターンの選択率が異なることとしている。よって、大当り確率の設定値により、特別演出の演出パターンに差違を生じさせることができるため、出現する特別演出の態様（演出パターン）によって設定値を判別することができる。